(57)【要約】 【課題】偽変造の困難な微小に形成された個人情報が記録されたＩＤカードの真贋を判定するＩＤカード真贋判定装置を提供すること。【解決手段】視認可能な個人情報と偽変造防止のために微小に形成された個人情報が記録されたＩＤカードの真贋を判定するＩＤカード真贋判定装置であって、当該ＩＤカード情報を読取る画像読取手段と、読み取った画像を認識するために演算する演算処理手段と、を備え、前記演算処理手段は、前記視認可能な個人情報と、微小に形成された個人情報の画像を切り出す画像切出手段と、切り出された画像から文字を認識する文字認識手段と、この文字認識手段で認識された前記視認可能な個人情報と前記微小に形成された個人情報を比較する比較手段と、を備え、この比較の結果、前記視認可能な個人情報と前記微小に形成された個人情報の一致／不一致により、当該ＩＤカードの真贋を判定する。【選択図】  図１
2014180832.tif 000002
【特許請求の範囲】
【請求項１】
視認可能な個人情報と偽変造防止のために微小に形成された個人情報が記録されたＩＤカードの真贋を判定するＩＤカード真贋判定装置であって、
前記視認可能な個人情報及び微小に形成された個人情報を含むＩＤカード情報を読取る画像読取手段と、
この画像読取手段で読み取った画像を認識するために演算する演算処理手段と、
を備え、
前記演算処理手段は、
前記視認可能な個人情報と、微小に形成された個人情報の画像をそれぞれ切り出す画像切出手段と、
この画像切出手段によって切り出された画像から文字を認識する文字認識手段と、
この文字認識手段で認識された前記視認可能な個人情報と前記微小に形成された個人情報を比較する比較手段と、を備え、
この比較手段による比較の結果、前記視認可能な個人情報と前記微小に形成された個人情報が一致した場合に当該ＩＤカードを本物と判定し、一致しなかった場合に当該ＩＤカードを偽物と判定するＩＤカード真贋判定装置。
【請求項２】
前記微小に形成された個人情報が、視認可能な画像の内側に中抜き文字として記録されたＩＤカードの真贋を判定する請求項１記載のＩＤカード真贋判定装置。
【請求項３】
前記微小に形成された個人情報が、可視光下では不可視で、かつ、紫外線照射下で視認可能であるインクで記録されたＩＤカードの真贋を判定する請求項1又は請求項２記載のＩＤカード真贋判定装置。
【請求項４】
前記微小に形成された個人情報が文字で構成されるとき、当該１文字の大きさが３０ミクロン以上４００ミクロン以下である請求項１乃至請求項３記載のＩＤカードの真贋を判定する請求項１乃至請求項３記載のＩＤカード真贋判定装置。
【請求項５】
前記微小に形成された個人情報が当該ＩＤカードを所有する個人の氏名であって、かつ、当該ＩＤカードを可視光下で表示する顔画像の一部に中抜き文字として埋め込んだ請求項1記載のＩＤカード真贋判定装置。
【発明の詳細な説明】
【技術分野】
【０００１】
本発明の実施形態は、ＩＤカード真贋判定装置に関する。
【背景技術】
【０００２】
ＩＤカードとは、運転免許証、従業員証、保険者証、旅券などのカードに、当該カードの保有者ごとに異なる個人情報が形成されているカード、シート又は通帳などの形態を有する発行物を指す。
【０００３】
従来、ＩＤカードの真贋判定を行う方法として、光学的な変化を持つ偽変造防止技術をＩＤカードに付与し、この光学的な変化を目視で判定するものが提案されている。特開平６−２８６３６５では、ホログラムを付与したカードが提案されているが、ホログラムを偽造する技術も高度化しており、同時に真贋を検査する検査員の技能や知識に依存するところが大きいため、偽造されたものを目視で判定することは困難であるという課題がある。
【０００４】
また、特開平６−１５５９７１では、上述の課題を改善するために、個人情報を二次元バーコード化し、この二次元バーコードを機械読み取りする方法が提案されているが、二次元バーコード自体は誰でも容易に発見することができるため、この情報を解析して偽造される危険性は極めて高く、偽造防止を判定する手段としては不十分であるという課題がある。
【０００５】
また、特開２０１２−１７９７５９では、上述の課題を改善するために、媒体に含有される元素のピーク強度を、蛍光Ｘ線分析装置を用いて測定し、識別することにより真贋判定を行う方法が提案されたが、用いる装置が高価であるのに加えて、測定に要する手間が大きいという課題がある。
【０００６】
また、視認可能な画像と、目視による認識が不可能な認証画像に赤外線を照射して機械読取が可能な方法が知られている（例えば、特許文献１参照。）。
【先行技術文献】
【特許文献】
【０００７】
【特許文献１】特開平８−９９４９０号公報
【発明の概要】
【発明が解決しようとする課題】
【０００８】
上述したＩＤカードの真贋判定の技術は、目視での判別を目的としたホログラムを用いた偽変造防止技術では、偽変造を目視で正確に判別することが困難であるという課題があり、二次元バーコードを用いた偽変造防止技術では、偽変造が容易であり、判定する手段として不十分であるという課題があり、媒体に含有されている元素のピーク強度を検出する偽変造防止技術では、装置が高価で測定に要する手間が大きいという問題がある。
【０００９】
本発明は、上述した課題を解決するためになされたもので、当該ＩＤカードは、個人を特定するための視認可能な個人情報（例えば、ＩＤなど）を視認不可能な微小文字に形成して、他の文字の内側に埋め込む。当該微小文字を判定するＩＤカード真贋判定装置は、当該ＩＤカードに紫外線などの特殊光を照射した際に検出される微小文字を読取って認識することにより、視認可能な個人情報と視認不可能な微小文字とが一致するか否かを判定することにより、偽変造の困難なＩＤカードのＩＤカード真贋判定装置を提供することを目的とする。
【課題を解決するための手段】
【００１０】
上記目的を達成するために、本発明の請求項１記載のＩＤカード真贋判定装置は、視認可能な個人情報と偽変造防止のために微小に形成された個人情報が記録されたＩＤカードの真贋を判定するＩＤカード真贋判定装置であって、前記視認可能な個人情報及び微小に形成された個人情報を含むＩＤカード情報を読取る画像読取手段と、この画像読取手段で読み取った画像を認識するために演算する演算処理手段と、を備え、前記演算処理手段は、前記視認可能な個人情報と、微小に形成された個人情報の画像をそれぞれ切り出す画像切出手段と、この画像切出手段によって切り出された画像から文字を認識する文字認識手段と、この文字認識手段で認識された前記視認可能な個人情報と前記微小に形成された個人情報を比較する比較手段と、を備え、この比較手段による比較の結果、前記視認可能な個人情報と前記微小に形成された個人情報が一致した場合に当該ＩＤカードを本物と判定し、一致しなかった場合に当該ＩＤカードを偽物と判定する。
【図面の簡単な説明】
【００１１】
【図１】実施例１に係るＩＤカード
【図２】ＩＤカードの真贋判定を行うＩＤカード真贋判定装置の構成図
【図３】実施例１に係る画像読取装置の要部の概略構成図
【図４】ＩＤカードの真贋判定のフローチャート
【図５】実施例２に係るＩＤカード
【図６】実施例２に係るＩＤカードにおいて微小文字に形成する個人情報としてＩＤ番号を用いた一例
【図７】実施例３に係るＩＤカード
【図８】実施例３に係る画像読取装置の要部の概略構成図
【図９】実施例３に係るＩＤカードにおいて微小文字に形成する個人情報として氏名を用いた例
【発明を実施するための形態】
【００１２】
本実施例に係るＩＤカードは、個人を特定するための視認可能な個人情報を視認不可能な微小文字に形成し、当該ＩＤカードに印刷された上記視認可能な個人情報を構成する文字又は人物画像の一部に中抜きにして印刷することにより、複製による偽造を防止することが可能なＩＤカードである。また、当該ＩＤカードの視認不可能な微小文字に形成した個人情報は、本実施例に係るＩＤカード真贋判定装置によって読取り及び認識することができる。以下、図面を参照して本実施例に係るＩＤカード真贋判定装置を説明する。
【実施例１】
【００１３】
図１は、本実施例１に係るＩＤカード１を示す図である。このＩＤカード１には、視認可能な個人情報２と、偽変造防止のために微小文字で形成した個人情報３が形成されている。個人情報３Ａは、微小文字で形成した個人情報３の理解を助けるために拡大して表示したものである。
【００１４】
個人情報には、ＩＤ番号、氏名、生年月日、住所、性別、出生地、本籍、国籍などがあるが、これらに制限されるものではなくＩＤカードに含まれる任意の個人情報が含まれる。ＩＤ番号は、免許証番号、保険者番号、旅券番号、従業員番号などのＩＤカードの発行者によって発番され、管理される番号である。本実施例では、個人情報の内、ＩＤ番号を微小文字に形成した。微小文字に形成した情報の１文字の大きさは、偽変造を試みようとする者に識別されないためには４００ミクロン（μｍ）以下であることが好ましく、同時に読取装置で正確に識別するためには３０ミクロン（μｍ）以上であることが好ましい。
【００１５】
図２は、ＩＤカードの真贋判定を行うＩＤカード真贋判定装置１０の構成図であり、提示されたＩＤカード１のＩＤカード情報を読み取る画像読取装置（画像読取手段）１２と、読み取った情報の演算処理を行う演算処理装置（演算処理手段）１１と、処理結果を表示する表示装置（表示手段）１３により構成される。
【００１６】
図３は、実施例１に係る画像読取装置の要部の概略構成図である。画像読取装置１２は、照明装置１２１Ａ、レンズ１２２Ａ，センサ１２３Ａ及び光学フィルタ１２４Ａなどを有して構成される。実施例１の照明装置１２１Ａは、可視光を放射する。照明装置１２１Ａから放射された可視光はＩＤカード１Ａで反射され、光学フィルタ１２４Ａを透過してセンサ１２３ＡにＩＤカードの反射画像が結像される。
【００１７】
センサ１２３Ａは、ＣＣＤエリアセンサ又はデジタルカメラを用いて構成され、静止しているＩＤカードの表面反射画像を読取る。このようにして読み取られた画像は、演算処理装置１１に出力される。
【００１８】
演算処理装置１１としては画像取込部を有するパーソナルコンピュータや産業用コンピュータで構成することができる。
【００１９】
表示装置１３は、液晶ディスプレイで構成され、画像読取装置１２で読み取られた画像及び演算処理装置で文字認識した微小文字３の認識結果を表示する。例えば、図１に示すように微小文字３がＩＤカード１のＩＤ番号「１２３４５６７８９０」と同一である場合には、上記表示装置１３に当該微小文字の文字認識結果としてＩＤ番号「１２３４５６７８９０」が表示される。
【００２０】
当該ＩＤカード真贋判定装置の操作員は上記ＩＤカードのＩＤ番号２と上述した微小文字の文字認識結果が同一ＩＤ番号を表示していることを目視で確認することができ、当該ＩＤカード御の真贋判定を行うことができる。
【００２１】
上述した例では、当該ＩＤカードを操作員が目視確認する場合を示したが、当然目視確認用ＩＤ番号２と微小文字３の文字認識結果を演算処理装置１１で自動的に判定することは可能である。
【００２２】
また、これらの画像読取、演算処理、表示の全ての機能を一つの装置に付与することも可能である。
【００２３】
図４は、本実施例１のＩＤカードＡの真贋判定のフローチャートである。まず、画像読取装置１２によってＩＤカード１Ａの情報を読取る（Ｓ１）。次に、演算処理装置１１によって、視認可能な個人情報２と、微小文字に形成された個人情報３の画像切り出し（画像切出手段）と文字の認識を行う（文字認識手段、Ｓ２）。最後に、視認可能な個人情報と、微小文字に形成された個人情報の比較を行い（比較手段、Ｓ３）、この比較手段による比較の結果、前記視認可能な個人情報と前記微小に形成された個人情報が一致した場合に当該ＩＤカードを本物と判定し、一致しなかった場合に当該ＩＤカードを偽物と判定する。当該判定結果は、表示装置に表示される。操作員は、表示装置に表示された判定結果を確認することができる。
【００２４】
以上説明した実施例１に記載のＩＤカード真贋判定装置によれば、視認可能なＩＤ番号が偽変造防止のために視認不可能な微小文字で形成されたＩＤ番号が記録されたＩＤカードの真贋判定を行うことができる。
【実施例２】
【００２５】
図５は、実施例２に係るＩＤカード１Ｂである。図６は、実施例２に係るＩＤカード１Ｂにおいて微小文字に形成する個人情報としてＩＤ番号を用いた一例である。本実施例２では、偽変造防止のために微小文字に形成する個人情報としてＩＤ番号（１２３４５６７８９０）を用い、視認可能な文言（ここでは、ＬＩＣＥＮＳＥ）の内側に、微小文字に形成したＩＤ番号の２文字ずつを中抜き文字で形成（記録）した。従って、１０桁のＩＤ番号の２桁ずつを５文字の内側に形成した。ここで、中抜き文字は常に同じ場所に形成することが好ましく、文字の内側に形成する場合には、カード保有者毎に異なる個人情報の文字の内側ではなく、カード保有者全員に共通の固定情報の文字の内側に形成することが好ましい。
【００２６】
以上説明した実施例２によれば、微小文字に形成した個人情報を、ＩＤカード保有者ごとに文字変動のない文字の内側に形成することにより、ＩＤカードの製造及び微小文字が形成される位置がＩＤカードごとに変動しないため、ＩＤカードの真贋判定が容易になる。
【実施例３】
【００２７】
図７は、実施例３に係るＩＤカードである。図８は、実施例３で用いる画像読取装置の概略構成図である。実施例３に係る画像読取装置は、照明装置１２１Ｂ、レンズ１２２Ｂ、センサ１２３Ｂ及び光学フィルタ１２４Ｂを有して構成される。実施例３の照明装置１２１Ｂは、紫外線を放射する。照明装置１２１Ｂから放射された紫外線はＩＤカード１Ｃを照射する。紫外線を照射されたＩＤカード１Ｃは、照明装置１２１Ｂから放射された紫外線を反射すると共に、当該ＩＤカードの顔画像及び微小文字を形成する印刷材料に含有されている蛍光剤が励起されて発光（この場合可視光を発光）する蛍光も含まれる。
【００２８】
光学フィルタ１２４Ｂは、上述したＩＤカード１Ｃから反射される紫外線及び放射される蛍光の中から当該光学フィルタ１２４Ｂによって蛍光を透過させレンズ１２２Ｂで集光してセンサ１２３Ｂに当該蛍光による画像を結像する。
【００２９】
センサ１２３Ｂで読み取られた画像は実施例１同様、演算処理装置１１によって文字認識及び図４に示すＩＤカードの真贋判定処理が行われる。
【００３０】
この真贋判定処理では、紫外線照射下で、顔画像及び微小文字で形成された氏名が上記比較手段によって比較される。この比較の結果、当該ＩＤカードのＩＤ番号と、当該ＩＤカード所持者の登録されている氏名が一致した場合には当該ＩＤカードを本物とし、一致しなかった場合には当該ＩＤカードを偽物と判定する真贋判定が行われる。
【００３１】
以上のように構成された画像読取装置を用いることにより、偽変造防止のために微小文字に形成する個人情報を氏名とし、可視光下では目視できないが紫外線照射下で視認可能な印刷材料で形成した顔画像の内側に、微小文字に形成した氏名を中抜き文字で形成したＩＤカードの真贋判定を行うことができる。
【符号の説明】
【００３２】
１Ａ、１Ｂ、１Ｃ  ＩＤカード
２  視認可能な個人情報
３  微小文字で形成した個人情報
４  内側に微小文字で形成した個人情報を中抜き文字で形成した視認可能な文言
５  紫外線照射下で視認可能な微小文字で形成した氏名
６  紫外線照射下で視認可能な微小文字で形成した氏名及び顔画像
１０  ＩＤカード真贋判定装置
１１  演算処理装置
１２  画像読取装置
１３  表示装置
１２１Ａ  照明装置（可視光）
１２１Ｂ  照明装置（紫外線）
１２２Ａ、１２２Ｂ  レンズ
１２３Ａ、１２３Ｂ  センサ
１２４Ａ、１２４Ｂ  光学レンズ
【図１】
2014180832.tif 000003
【図２】
2014180832.tif 000004
【図３】
2014180832.tif 000005
【図４】
2014180832.tif 000006
【図５】
2014180832.tif 000007
【図６】
2014180832.tif 000008
【図７】
2014180832.tif 000009
【図８】
2014180832.tif 000010
【図９】
2014180832.tif 000011